(57)【特許請求の範囲】
【請求項１】
中央に細巾の長方形状の連結片を設けると共に、該連結片の両側に広巾のエアーチューブを連結し、更に該各広巾のエアーチューブの外側に小巾のエアーチューブを連結して形成した２セットのエアーマットを、上段エアーマットと下段エアーマットとして、該上段エアーマットと下段エアーマットとを上・下二段に亘って重合固定して形成され、且つ前記各エアーチューブには吸入口および排気口が設置され、該各は吸入口および排気口に連結されたエアーホースにエアーポンプが接続されて、前記各エアーチューブに空気を注入あるいは排気して膨張および収縮自在とする一方、病人が仰臥する膨張した上・下段エアーマットの上段エアーマットの左右の広巾のエアーチューブを交互に収縮・膨張を繰返すか、あるいは前記上段エアーマットの左右の広巾のエアーチューブと共に、前記下段エアーマットの左右の広巾のエアーチューブを交互に収縮・膨張を繰返すか、または前記上段エアーマットの左右の広巾のエアーチューブと、前記下段エアーマットの左右の広巾のエアーチューブと共に、上段エアーマットの小巾のエアーチューブを交互に収縮・膨張を繰返して病人を任意の角度で傾斜させるようにしたことを特徴とする床ずれ防止用エアーマット装置。
【請求項２】
中央に細巾の長方形状の連結片を設けると共に、該連結片の両側に広巾のエアーチューブを連結し、更に該各広巾のエアーチューブの外側に小巾のエアーチューブを連結して形成した２セットのエアーマットを、上段エアーマットと下段エアーマットとして、該上段エアーマットと下段エアーマットとを上・下二段に亘って重合固定して形成され、且つ前記各エアーチューブには吸入口および排気口が設置され、該各は吸入口および排気口に連結されたエアーホースにエアーポンプが接続され、更に該エアーポンプに空気の注入、排気量および注入・排気時間等を予めプログラミングした制御装置が接続されていて、前記制御装置の指令信号により前記エアーポンプを介して各エアーチューブに空気を注入あるいは排気して膨張および収縮自在とする一方、病人が仰臥する膨張した上・下段エアーマットの上段エアーマットの左右の広巾のエアーチューブを交互に収縮・膨張を繰返すか、あるいは前記上段エアーマットの左右の広巾のエアーチューブと共に、前記下段エアーマットの左右の広巾のエアーチューブを交互に収縮・膨張を繰返すか、または前記上段エアーマットの左右の広巾のエアーチューブと、前記下段エアーマットの左右の広巾のエアーチューブと共に、上段エアーマットの左右の小巾のエアーチューブを交互に収縮・膨張を繰返して病人を、前記制御装置で設定した角度に傾斜させるようにしたことを特徴とする床ずれ防止用エアーマット装置。
【発明の詳細な説明】
【技術分野】
【０００１】
本発明は、長期に亘って長く病床に寝たきり状態にある病人の体が、布団やマットに当っている部分が、体重の圧迫のため擦れ、赤く腫れてただれて痛みを生じ、病人に苦痛を与える床ずれを防止するための床ずれ防止用エアーマット装置に関するものである。
【背景技術】
【０００２】
長期に亘って長く病床に寝たきり状態にある病人は、常にマットや布団に身体が接しているため、その接している部分がうっ血して床ずれを起こし、病人に苦痛を与えるものである。この床ずれを防ぐには、身体をマットや布団から離してうっ血を避けるようにする必要があり、そのために身体とマット等の間に枕状や円座状の形をした器具を挿入したりしている。しかしながら、前記のような器具を長期に亘って挿入し続けていると、その部分が痛くなったり、あるいはその部分が新たに床ずれを起こすので、適宜これらの器具の位置を変えたり、抜き去る必要があるが、床ずれを起こすような病人は寝たきりの人が多く、自分で前記器具の位置を変えたり、抜き去ったりすることができず、介護者の手を煩わすことにならざるを得ない。
【０００３】
そこで、病人自ら、または介護者の手を煩わすことなく、自動的に病人の体位の変換を図ることができる下記特許文献記載のように、空気によって膨縮するマットを上下または左右二つに設け、それぞれを膨張または縮小させて体位を左右に変えるようにしたものが提案されている。
【先行技術文献】
【特許文献】
【０００４】
【特許文献１】登録実用新案第３０７１０２９号公報
【特許文献２】登録実用新案第３００９９３４号公報
【発明の概要】
【発明が解決しようとする課題】
【０００５】
前記特許文献１記載の発明は、頭部より足部にかけて中心線で隔離された少なくとも縦に二分されたエアーチューブと、それぞれのエアーチューブに空気の給排気を行う給排気手段と、空気供給ポンプと、電気的に空気の給排気を自動で行わせるスウィッチとを備えたことを特徴とする横転自在、床ずれ防止エアーマットレスである。そして、特許文献１記載の発明について、エアーマットレス上に仰臥した病人が右腹部を下に横転したいときは、電動スイッチを操作して、空気供給ポンプを作動させて、左チューブに空気を注入すると、該左チューブは膨らみ、自然に病人の体は右に横転可能となる旨記載されているが、エアーチューブが単に縦に二分されているだけであるので、前記左チューブが膨らんでくると、病人がずれ落ちてしまい、傾斜状態を維持することができず、従って、床ずれ防止の目的を達成することができないという課題があった。
【０００６】
また、特許文献２記載の発明は、左右のエアーマットを身体、または布団の下に敷き、空気圧調整器でポンプを作動させ、エアーホースで左または右のエアーマットへ空気を送ること（または抜くこと）により、空気の送られたマットが膨張（または収縮）し、身体が持ち上げられて傾き、重心を移動させて、床ずれを防止するようにしたものである。しかしながら、引用文献２記載の発明も、引用文献１記載の発明と同様に、エアーマットが膨張（または収縮）してくると、病人がずれ落ちてしまい、傾斜状態を維持することができず、従って、床ずれ防止の目的を達成することができないという課題があった。
【０００７】
本発明は、前記課題を解決すべくなされたものであって、エアーマットを構成するエアーチューブが収縮して病人が傾斜してきても、病人がずれ落ちてしまうことなく、傾斜状態を維持して床ずれを防止することができる床ずれ防止用エアーマット装置を提供しようとするものである。
【課題を解決するための手段】
【０００８】
本発明は、中央に細巾の長方形状の連結片を設けると共に、該連結片の両側に広巾のエアーチューブを連結し、更に該各広巾のエアーチューブの外側に小巾のエアーチューブを連結して形成した２セットのエアーマットを、上段エアーマットと下段エアーマットとして、該上段エアーマットと下段エアーマットとを上・下二段に亘って重合固定して形成され、且つ前記各エアーチューブには吸入口および排気口が設置され、該各吸入口および排気口に連結されたエアーホースにエアーポンプが接続されて、前記各エアーチューブに空気を注入あるいは排気して膨張および収縮自在とする一方、病人が仰臥する膨張した上・下段エアーマットの上段エアーマットの左右の広巾のエアーチューブを交互に収縮・膨張を繰返すか、あるいは前記上段エアーマットの左右の広巾のエアーチューブと共に、前記下段エアーマットの左右の広巾のエアーチューブを交互に収縮・膨張を繰返すか、または前記上段エアーマットの左右の広巾のエアーチューブと、前記下段エアーマットの左右の広巾のエアーチューブと共に、上段エアーマットの小巾のエアーチューブを交互に収縮・膨張を繰返して病人を任意の角度に傾斜させるという手段、あるいは、
中央に細巾の長方形状の連結片を設けると共に、該連結片の両側に広巾のエアーチューブを連結し、更に該各広巾のエアーチューブの外側に小巾のエアーチューブを連結して形成した２セットのエアーマットを、上段エアーマットと下段エアーマットとして、該上段エアーマットと下段エアーマットとを上・下二段に亘って重合固定して形成され、且つ前記各エアーチューブには吸入口および排気口が設置され、該各吸入口および排気口に連結されたエアーホースにエアーポンプが接続され、更に該エアーポンプに空気の注入、排気量および注入・排気時間等を予めプログラミングした制御装置が接続されていて、前記制御装置の指令信号により前記エアーポンプを介して各エアーチューブに空気を注入あるいは排気して膨張および収縮自在とする一方、病人が仰臥する膨張した上・下段エアーマットの上段エアーマットの左右の広巾のエアーチューブを交互に収縮・膨張を繰返すか、あるいは前記上段エアーマットの左右の広巾のエアーチューブと共に、前記下段エアーマットの左右の広巾のエアーチューブを交互に収縮・膨張を繰返すか、または前記上段エアーマットの左右の広巾のエアーチューブと、前記下段エアーマットの左右の広巾のエアーチューブと共に、上段エアーマットの左右の小巾のエアーチューブを交互に収縮・膨張を繰返して病人を、前記制御装置で設定された角度に傾斜させるという手段、
を採用することにより、上記課題を解決した。
【発明の効果】
【０００９】
前記構成より成る本発明によれば、エアーマットを上下二段に構成することにより、病室のベッドのみならず、畳や床面上など使用場所は任意であり、病人の脊柱部は常にエアーマットと非接触でうっ血する虞れがなく、前記エアーマットを構成するエアーチューブが収縮して病人が左右いずれかへ傾斜した場合、３０〜４５°の傾斜角度は簡単に実現でき、時には７０〜７５°位の傾斜角度も可能で、然もその傾斜角度の調整も自由自在にでき、更に、病人が傾斜したときも左右の小巾のエアーチューブがストッパーの役目を果たすので、病人がエアーマットからずり落ちてしまうことなく、傾斜状態をそのまま維持することができ危険性は全くなく、床ずれを防止することができ、また更に、上段エアーマット上に仰臥した病人は、病人自身または他人が該マットの一部を押さえる（圧迫する）と、身体全体が心地よく揺れ動いて背中の痛みがないという優れた効果を奏することができる。また、本発明エアーマットは、軽量であり、空気を抜くと収縮して小さくなるので、保管に場所を取らず、持運びも簡単である。
、
【図面の簡単な説明】
【００１０】
【図１】本発明床ずれ防止用エアーマット装置の概略平面図である。
【図２】本発明床ずれ防止用エアーマット装置を構成するエアーマットの一部切欠き正面図である。
【図３】本発明床ずれ防止用エアーマット装置を構成するエアーマットに病人が仰臥した状態を示す正面図である。
【図４】本発明床ずれ防止用エアーマット装置を構成するエアーマットに病人が仰臥し、上段エアーマットの左側の広巾のエアーチューブの空気を排気した状態を示す正面図である。
【図５】本発明床ずれ防止用エアーマット装置を構成するエアーマットに病人が仰臥し、上・下段エアーマットの左側の広巾のエアーチューブの空気を排気した状態を示す正面図である。
【図６】本発明床ずれ防止用エアーマット装置を構成するエアーマットに病人が仰臥し、上・下段エアーマットの左側の広巾のエアーチューブと上段エアーマットの左側の小巾のエアーチューブの空気を一部排気した状態を示す正面図である。
【図７】本発明床ずれ防止用エアーマット装置を構成するエアーマットに病人が仰臥し、上段エアーマットの右側の広巾のエアーチューブの空気を排気した状態を示す正面図である。
【図８】本発明床ずれ防止用エアーマット装置を構成するエアーマットに病人が仰臥し、上・下段エアーマットの右側の広巾のエアーチューブの空気を排気した状態を示す正面図である。
【図９】本発明床ずれ防止用エアーマット装置を構成するエアーマットに病人が仰臥し、上・下段エアーマットの右側の広巾のエアーチューブと上段エアーマットの右側の小巾のエアーチューブの空気を排気した状態を示す正面図である。
【実施例】
【００１１】
本発明の実施例を図面に基づいて詳細に説明する。本発明床ずれ防止用エアーマット装置においては、同一構成に形成された２セットのエアーマットを、上段エアーマット１ａと下段エアーマット１ｂとして、該上段エアーマット１ａと下段エアーマット１ｂを上・下二段に亘って重合固定して形成されている。前記上・下段エアーマット１ａ・１ｂは、ビニール、ウレタンゴム等の柔軟性と非通気性を有するシート材により、中央に細巾の長方形状の連結片２を設けると共に、該連結片２の両側に広巾のエアーチューブ３を連結固定し、更に前記広巾のエアーチューブ３の外側に小巾のエアーチューブ４をそれぞれ連結固定し、且つ前記各広巾のエアーチューブ３と小巾のエアーチューブ４には、空気を注入する注入口５、および前記注入された空気を排気する排気口６を備えて形成されている。図中、５ａは、前記注入口５を開閉するキャップ、６ａは、前記排気口６を開閉するキャップである。なお、図１においては、前記注入口５、排気口６およびキャップ５ａ・６ａを備えた上段エアーマット１ａのみに表されているが、下段エアーマット１ｂにも前記注入口５、排気口６およびキャップ５ａ・６ａは設置されている。
【００１２】
本発明床ずれ防止用エアーマット装置における上・下二段に重合固定した上・下段エアーマット１ａ・１ｂは、病人Ｐが使用するベッド上に載置して使用できるような長さおよび巾に形成する。そして、その長さおよび巾は、特に限定する必要はないが、好ましくは、全体の長さは１９０ｃｍ程度、巾が９０ｃｍ程度の大きさとすることが推奨される。また、特に限定する必要はないが、好ましくは、前記各エアーマット１ａ・１ｂを構成する連結片２は、３〜５ｃｍ程度の巾、広巾のエアーチューブ３は、２０〜３５ｃｍ程度の巾、また小巾のエアーチューブ４は、１０〜２０ｃｍ程度の巾とすることが推奨される。なお、図においては、説明の都合上、前記上・下段エアーマット１ａ・１ｂを、ベッドＢに載置するものとして説明しているが、該上・下段エアーマット１ａ・１ｂは、ベッドＢのみならず、畳や床面など場所を問わず使用することができる。
【００１３】
前記構成より成る２セットのエアーマットを上段エアーマット１ａと下段エアーマット１ｂとして、上・下二段に亘って接合手段７で接合・分離自在となるようにして重合固定すると共に、前記各注入口５および排気口６に連結された注入用エアーホース８ａおよび排気用エアーホース８ｂに、エアーポンプ９が接続されて、病人Ｐまたは介護者が前記各エアーチューブ３・４にエアーポンプ９を手動操作して、空気を注入あるいは排気して膨張および収縮自在なるように形成されている。この場合、後述する病人Ｐの傾斜角度および傾斜時間などを、自由に設定することができる。
【００１４】
なお、前記の場合、エアーポンプ９を手動で操作して各エアーチューブ３・４に空気を注入あるいは排気して膨張あるいは収縮させるものであるが、前記エアーポンプ９による前記各エアーチューブ３・４に対する空気の注入、排気量および注入・排気時間等を予めプログラミングした制御装置（図示せず）を前記エアーポンプ９に接続して、予め設定されたプログラムに従って、前記各エアーチューブ３・４に対する空気の注入、排気を自動的にすることにより、後述する病人Ｐの傾斜角度および傾斜時間などを、自動化することができる。
してもよい。
【００１５】
前記上段エアーマット１ａと下段エアーマット１ｂを、上・下二段に亘って接合・分離自在となるようにして重合固定する接合手段７は、該上段エアーマット１ａと下段エアーマット１ｂを上・下二段に亘って接合・分離自在にできるものであればよく、特に限定する必要はないが、好ましくは、面ファスナー雄片７ａと面ファスナー雌片７ｂを用いてそれぞれ接合して固着することが推奨される。
【００１６】
前記構成より成る本発明装置の作用について説明する。先ず、本発明装置を病人Ｐが使用する場合、上・下段エアーマット１ａ・１ｂを上下二段に亘って接合手段７で重合固定する一方、該重合固定した上・下段エアーマット１ａ・１ｂをベッドＢ上に載置し、前記各注入口５よりエアーポンプ９から空気を注入して前記各上・下段エアーマット１ａ・１ｂを構成する各広巾のエアーチューブ３および小巾のエアーチューブ４をそれぞれ膨張させる。
【００１７】
前記各上・下段エアーマット１ａ・１ｂを膨張させると、図２に示すように、重合した上・下段エアーマット１ａ・１ｂは、連結片２部分が最底位に位置して、ベッドＢ上に載置された状態となる。この状態において、病人Ｐが上段エアーマット１ａ上に仰臥すると、図３に示すように、中央部の最底位に位置する連結片２部分が病人Ｐの脊柱部に位置するが、該脊柱部の両側部が前記上段エアーマット１ａの各広巾のエアーチューブ３上に位置するため、前記脊柱部は浮き上がった状態で、連結片２および前記各広巾のエアーチューブ３とは非接触となり圧迫されないので、うっ血を生ぜず、該脊柱部の床ずれは生じない。なお、前記ベッドＢ上に載置された上・下段エアーマット１ａ・１ｂの上段エアーマット１ａには、図示を省略しているが、シーツ、あるいは、薄手の敷き布団やマットを敷いて使用することが好ましい。
【００１８】
前記病人Ｐが上段エアーマット１ａ上に仰臥した状態において、上段エアーマット１ａの左側の広巾のエアーチューブ３ａのみの空気を、エアーポンプ９を用いて排気して行くと、該左側の広巾のエアーチューブ３ａが徐々に収縮して行くことにより、図４に示すように、病人Ｐは右側半身が右側の広巾のエアーチューブ３ｂに接しながら、左側へ徐々に緩やかに大体３０°程度傾斜して、重心が左側へ移動するため、病人Ｐの右側の広巾のエアーチューブ３ｂへの接触圧が徐々に弱まり、うっ血状態が徐々に解除されて行って、病人Ｐの右側の背中部分の血流の促進を図り、床ずれを防止することができる。そして、このとき、前記病人Ｐが左側へ傾斜して行っても、左側方向において、外側に位置する左側の小巾のエアーチューブ４ａ・４ｃは、収縮させず膨張したままの状態であるので、該膨張したままの小巾のエアーチューブ４ａ・４ｃがストッパーの役目を果たして、病人Ｐがずれ落ちることはなく、前記傾斜状態を維持することができる。
【００１９】
また、前記図４に示す状態より病人Ｐの左側への傾斜角度を大きくするためには、下段エアーマット１ｂの左側の広巾のエアーチューブ３ｃの空気をも排気して行くと、該左側の広巾のエアーチューブ３ｃが徐々に収縮して行くことにより、図５に示すように病人は更に左側へ大体４５°程度傾斜して、重心が更に左側へ移動するため、病人Ｐの背中部分の右側の広巾のエアーチューブ３ｂへの接触圧が更に弱まり、うっ血状態がなくなって、更に血流の促進を図ることができるので床ずれは防止される。そして、このとき、前記病人Ｐが左側へ更に傾斜して行っても、左側方向において、外側に位置する左側の小巾のエアーチューブ４ａ・４ｃは収縮させず膨張したままの状態であるので、該膨張したままの小巾のエアーチューブ４ａ・４ｃがストッパーの役目を果たして、病人Ｐがずれ落ちることはなく、前記傾斜状態を維持することができる。
【００２０】
また、前記図５に示す上・下段エアーマット１ａ・１ｂの左側の広巾のエアーチューブ３ａ・３ｃを収縮した状態より更に病人Ｐの左側への傾斜角度を大きくするために、図６に示すように、前記上・下段エアーマット１ａ・１ｂの左側の広巾のエアーチューブ３ａ・３ｃと共に、上段エアーマット１ａの左側の小巾のエアーチューブ４ａを収縮させて、病人Ｐの左側への傾斜角度を大体７５°程度に大とすることにより、重心が完全に左側へ移動するため、病人Ｐの背中部分の右側の広巾のエアーチューブ３ｂ・３ｄへの接触圧がなくなり、うっ血状態がなくなって、更なる血流の促進を図ることができるので床ずれの防止ができる。そして、このとき、下段エアーマット１ｂの左側の小巾のエアーチューブ４ｃは収縮させず膨張したままなので、該膨張したままの前記小巾のエアーチューブ４ｃがストッパーの役目を果たし、病人Ｐがずれ落ちることはなく、前記左側への傾斜状態を維持することができる。
【００２１】
前記左側へ傾斜した病人Ｐは、一定時間その状態を維持した後、収縮した上段エアーマット１ａの左側の広巾のエアーチューブ３ａと小巾のエアーチューブ４ａおよび下段エアーマット１ｂの左側の広巾のエアーチューブ３ｃに空気を、エアーポンプ９を用いて注入して、図３に示す最初の状態に復帰させる。
【００２２】
次に、病人Ｐを右側へ傾斜させるには、上段エアーマット１ａの右側の広巾のエアーチューブ３ｂのみの空気を、エアーポンプ９を用いて排気して行くと、図７に示すように、左側半身が左側の広巾のエアーチューブ３ａに接しながら、右側へ徐々に緩やかに大体３０°程度傾斜して、重心が右側へ移動するため、病人Ｐは右側へ緩やかに傾斜して行くことにより、前記病人Ｐの左側の広巾のエアーチューブ３ａへの接触圧が徐々に弱まり、うっ血状態が徐々に解除されて行って病人の左側の背中部分の血流の促進を図り、床ずれを防止することができる。そして、このとき、前記病人Ｐが右側へ傾斜して行っても、右側方向において、外側に位置する右側の小巾のエアーチューブ４ｂ・４ｄは収縮させず膨張したままの状態であるので、該膨張したままの小巾のエアーチューブ４ｂ・４ｄがストッパーの役目を果たして、病人Ｐがずれ落ちることはなく、前記傾斜状態を維持することができる。
【００２３】
また、前記図７に示す状態より病人Ｐの右側への傾斜角度を大きくするためには、下段エアーマット１ｂの右側の広巾のエアーチューブ３ｄの空気をも排気して行くと、該右側の広巾のエアーチューブ３ｄが徐々に収縮して行くことにより、図８に示すように病人Ｐは更に右側へ大体４５°傾斜して、重心が更に右側へ移動するため、病人Ｐの背中部分の左側の広巾のエアーチューブ３ａへの接触圧が更に弱まり、うっ血状態がなくなって、更に血流の促進を図ることができ、これにより背中の床ずれは防止される。そして、このとき、前記病人Ｐが右側へ更に傾斜して行っても、右側方向において、外側に位置する左側の小巾のエアーチューブ４ｂ・４ｄは収縮させず膨張したままの状態であるので、該膨張したままの小巾のエアーチューブ４ｂ・４ｄがストッパーの役目を果たして、病人Ｐがずれ落ちることはなく、前記傾斜状態を維持することができる。
【００２４】
更にまた、前記図８に示す上・下段エアーマット１ａ・１ｂの右側の広巾のエアーチューブ３ｂ・３ｄを収縮した状態より更に病人Ｐの右側への傾斜角度を大きくするために、図９に示すように、前記上・下段エアーマット１ａ・１ｂの右側の広巾のエアーチューブ３ｂ・３ｄと共に、上段エアーマット１ａの右側の小巾のエアーチューブ４ｂを収縮させて、病人Ｐの右側への傾斜角度を大体７５°程度に大とすることにより、重心が完全に右側へ移動するため、病人Ｐの背中部分の左側の広巾のエアーチューブ３ａ・３ｃへの接触圧がなくなり、うっ血状態がなくなって、更なる血流の促進を図ることができるので床ずれの防止ができる。そして、このとき、下段エアーマット１ｂの右側の小巾のエアーチューブ４ｄは収縮させず膨張したままなので、該膨張したままの前記小巾のエアーチューブ４ｄがストッパーの役目を果たし、病人Ｐがずれ落ちることはなく、前記右側への傾斜状態を維持することができる。
【００２５】
前記のように、病人Ｐを左側へ傾斜させた後、右側へ傾斜させるという操作を、エアーポンプ９を用いて繰り返すことにより、病人Ｐの体位が自動的に変換され、病人Ｐの布団やマット等に当たっている接触圧がなくなり、うっ血状態が解除されるので、床ずれの防止ができる。また、前記手動操作の場合、病人Ｐの傾斜角度および傾斜時間を任意に設定することができる。
【符号の説明】
【００２６】
１ａ  上段エアーマット  
１ｂ  下段エアーマット  
２  連結片
３  広巾のエアーチューブ
３ａ  左側の広巾のエアーチューブ
３ｂ  右側の広巾のエアーチューブ
３ｃ  左側の広巾のエアーチューブ
３ｄ  右側の広巾のエアーチューブ
４  小巾のエアーチューブ
４ａ  左側の小巾のエアーチューブ
４ｂ  右側の小巾のエアーチューブ
４ｃ  左側の小巾のエアーチューブ
４ｄ  右側の小巾のエアーチューブ
５  注入口
５ａ  キャップ
６  排気口
６ａ  キャップ
７  接合手段
７ａ  面ファスナー雄片
７ｂ  面ファスナー雌片
８ａ  注入用エアーホース
８ｂ  排気用エアーホース
９  エアーポンプ
Ｂ  ベッド
Ｐ  病人
【図１】
0005266402.tif 000002
【図２】
0005266402.tif 000003
【図３】
0005266402.tif 000004
【図４】
0005266402.tif 000005
【図５】
0005266402.tif 000006
【図６】
0005266402.tif 000007
【図７】
0005266402.tif 000008
【図８】
0005266402.tif 000009
【図９】
0005266402.tif 000010